(57)【要約】【課題】基板間を接続する従来のコネクタ装置では、コネクタ同士の嵌合時に、各コネクタの長手方向に延在するように設けられたシールドが互いに対向し、内外二重に配置されることによって、電磁遮蔽作用を得て、ＥＭＩ対策を行っている。しかしながら、シールドの内外二重構造は各コネクタの短手方向の幅を取ってしまうため、コネクタの小型化、高密度実装化の妨げとなる。【解決手段】本発明では、コネクタ装置の各コネクタのハウジングの長手方向の側壁に配列して保持された複数の端子の電磁遮蔽のために、各コネクタのハウジングの長手方向に沿って設けられたシールド同士が、各コネクタのハウジングの短手方向の側壁に沿って設けられたシールド嵌合部によって、互いに接触して電気的に接続されることで、シールドの内外二重構造を用いることなく、シールド間の電位差を実質的になくし、十分な電磁遮蔽作用を得ることが可能なコネクタ装置を提供する。【選択図】図１
2020109730.tif 000002
【特許請求の範囲】
【請求項１】
複数のプラグ端子と、長手方向に沿って前記複数のプラグ端子を保持するプラグハウジングと、前記プラグハウジングに保持されるプラグシェルとを備えるプラグコネクタと、
複数のレセプタクル端子と、長手方向に沿って前記複数のレセプタクル端子を保持するレセプタクルハウジングと、前記レセプタクルハウジングに保持されるレセプタクルシェルとを備えるレセプタクルコネクタとを含み、
前記複数のプラグ端子の各々は、前記複数のレセプタクル端子のうち相手端子となるレセプタクル端子と接触する接触部と、実装部とを有し、
前記プラグシェルは、前記プラグハウジングの長手方向に沿って延在する板状のプラグシールドと、前記プラグハウジングに保持される支持部と、基板のグランド電位に接続される実装部とを有し、
前記プラグシールドは、前記プラグハウジングから露出した、前記複数のプラグ端子の各々の実装端部と短手方向で対向しており、
前記複数のレセプタクル端子の各々は、前記複数のプラグ端子のうち相手端子となるプラグ端子と接触する接触部と、実装部とを有し、
前記レセプタクルシェルは、前記レセプタクルハウジングの長手方向に沿って延在する板状のレセプタクルシールドと、前記レセプタクルハウジングに保持される支持部と、基板のグランド電位に接続される実装部とを有し、
前記レセプタクルシールドは、前記レセプタクルハウジングから露出した、前記複数のレセプタクル端子の各々の実装端部と短手方向で対向しており、
前記プラグコネクタと前記レセプタクルコネクタとが嵌合した状態において、前記プラグシェルと前記レセプタクルシェルとが電気的に接続されること
を特徴とするコネクタ装置。
【請求項２】
前記複数のプラグ端子は、前記プラグハウジングの長手方向の２つの側壁の各々に沿って設けられ、
前記プラグシェルは、前記プラグハウジングの長手方向に沿って延在する板状の前記プラグシールドを両側に有し、
前記プラグシールドの各々は、前記プラグハウジングの前記２つの側壁に設けられた前記複数のプラグ端子の各々の前記実装端部と等しい間隔をあけて短手方向で対向し、
前記複数のレセプタクル端子は、前記レセプタクルハウジングの長手方向の２つの側壁の各々に沿って設けられ、
前記レセプタクルシェルは、前記レセプタクルハウジングの長手方向に沿って延在する板状の前記レセプタクルシールドを両側に有し、
前記レセプタクルシールドの各々は、前記レセプタクルハウジングの前記２つの側壁に設けられた前記複数のレセプタクル端子の各々の前記実装端部と等しい間隔をあけて短手方向で対向し、
前記プラグコネクタと前記レセプタクルコネクタとが嵌合した状態において、前記プラグシェルと前記レセプタクルシェルとが前記短手方向で重なることがなく配置されるとともに、前記プラグシェルと前記レセプタクルシェルとが電気的に接続されること
を特徴とする請求項１に記載のコネクタ装置。
【請求項３】
前記プラグシェルは、前記プラグハウジングの長手方向に沿って延在するプラグシェル平面を両側に有し、
前記プラグシールドは、前記プラグシェル平面に対して直角に折り曲げられた前記プラグシェルの縁部分であり、
前記レセプタクルシェルは、前記レセプタクルハウジングの長手方向に沿って延在するレセプタクルシェル平面を両側に有し、
前記レセプタクルシールドは、前記レセプタクルシェル平面に対して直角に折り曲げられた前記レセプタクルシェルの縁部分であり、
前記プラグコネクタと前記レセプタクルコネクタとが嵌合した状態において、前記プラグシェル平面と前記レセプタクルシェル平面とが互いに対向もしくは接触すること
を特徴とする請求項２に記載のコネクタ装置。
【請求項４】
前記プラグシールド及び前記レセプタクルシールドのうちの一方のシールドの各々は、相手コネクタとの嵌合方向に延出したシールド突出部を有し、
前記プラグシールド及び前記レセプタクルシールドのうちの他方のシールドの各々は、前記シールド突出部を受け入れるためのシールド切欠部を有し、
前記プラグコネクタと前記レセプタクルコネクタとが嵌合した状態において、前記シールド突出部が前記シールド切欠部に挟まれて、前記シールド突出部の側面が前記シールド切欠部の内面に当接すること
を特徴とする請求項２に記載のコネクタ装置。
【請求項５】
前記シールド突出部を備えた前記一方のシールドの厚さは、前記シールド切欠部を備えた前記他方のシールドの厚さよりも厚いこと
を特徴とする請求項４に記載のコネクタ装置。
【請求項６】
前記プラグシールド及び前記レセプタクルシールドのうちの一方のシールドの各々は、相手コネクタとの嵌合方向に延出した一対のシールド突出部を有し、
前記プラグシールド及び前記レセプタクルシールドのうちの他方のシールドの各々は、相手コネクタとの嵌合方向に前記他方のシールドの内側から露出した、前記一対のシールド突出部と接触するための一対の接点を有し、
前記一対の接点の各々は、前記他方のシールドの中央の屈曲部から前記他方のシールドの内側の表面に沿って前記屈曲部から前記他方のシールドの両端方向に延出した弾性を有する可動腕部の端部分にあること
を特徴とする請求項２に記載のコネクタ装置。
【請求項７】
前記他方のシールドの前記屈曲部から両端方向に延出した前記可動腕部は、相手コネクタとの嵌合方向に曲げて形成されたこと
を特徴とする請求項６に記載のコネクタ装置。
【請求項８】
前記プラグシェル平面及び前記レセプタクルシェル平面のうちの一方のシェル平面の各々は、１対の接触片を有し、
前記１対の接触片は、前記一方のシェル平面から延出して対向するように形成され、相手コネクタとの嵌合方向に曲げて形成されたこと
を特徴とする請求項３に記載のコネクタ装置。
【請求項９】
前記１対の接触片は、前記一方のシェル平面の各々に２箇所ずつ設けられたこと
を特徴とする請求項８に記載のコネクタ装置。
【請求項１０】
複数の端子と、長手方向に沿って前記複数の端子を保持するハウジングと、前記ハウジングに保持される外部導体シェルとを含み、
前記複数の端子の各々は、相手端子と接触する接触部と、実装部とを有し、
前記外部導体シェルは、前記ハウジングの長手方向に沿って延在する板状のシールドと、前記ハウジングに保持される支持部と、基板のグランド電位に接続される実装部とを有し、
前記シールドは、前記ハウジングから露出した、前記複数の端子の各々の実装端部と短手方向で対向しており、
相手コネクタとの嵌合した状態において、前記外部導体シェルは、前記相手コネクタの相手外部導体シェルと電気的に接続されること
を特徴とするコネクタ。
【請求項１１】
前記複数の端子は、前記ハウジングの長手方向の２つの側壁の各々に沿って設けられ、
前記外部導体シェルは、前記ハウジングの長手方向に延在する板状の前記シールドを両側に有し、
前記シールドの各々は、前記ハウジングの前記２つの側壁に設けられた前記複数の端子の各々の前記実装端部と等しい間隔をあけて短手方向で対向し、
相手コネクタとの嵌合した状態において、前記外部導体シェルと前記相手外部導体シェルとが前記短手方向で重なることがなく配置されるとともに、前記外部導体シェルと前記相手外部導体シェルとが電気的に接続されること
を特徴とする請求項１０に記載のコネクタ。
【請求項１２】
前記外部導体シェルは、前記ハウジングの長手方向に延在するシェル平面を両側に有し、
前記シールドは、前記シェル平面に対して直角に折り曲げられた前記外部導体シェルの縁部分であること
を特徴とする請求項１１に記載のコネクタ。
【請求項１３】
前記ハウジングの両側にある前記シールドの各々は、相手コネクタとの嵌合方向に延出したシールド突出部を有し、
前記シールド突出部は、前記相手コネクタと嵌合した状態において、前記シールド突出部が前記相手コネクタの相手シールドに設けられたシールド切欠部に挟まれて、前記シールド突出部の側面が前記シールド切欠部の内面に当接するように構成されたこと
を特徴とする請求項１１に記載のコネクタ。
【請求項１４】
前記ハウジングの両側にある前記シールドの各々は、シールド切欠部を有し、
前記シールド切欠部は、前記相手コネクタと嵌合した状態において、前記シールド切欠部が前記相手コネクタの相手シールドに設けられたシールド突出部を挟み込み、前記シールド切欠部の内面に前記シールド突出部の側面が当接するように構成されたこと
を特徴とする請求項１１に記載のコネクタ。
【請求項１５】
前記ハウジングの両側にある前記シールドの各々は、相手コネクタとの嵌合方向に延出した一対のシールド突出部を有し、
前記一対のシールド突出部の各々は、先端部分が、前記相手コネクタと嵌合した状態において、相手コネクタに設けられた相手接点と当接するように構成されたこと
を特徴とする請求項１１に記載のコネクタ。
【請求項１６】
前記ハウジングの両側にある前記シールドの各々は、相手コネクタとの嵌合方向に前記シールドの内側から露出した一対の接点を有し、
前記一対の接点は、前記シールドの中央の屈曲部から前記シールドの内側の表面に沿って前記屈曲部から前記シールドの両端方向に延出した弾性を有する可動腕部の端部分にあり、
前記一対の接点は、前記相手コネクタと嵌合した状態において、相手コネクタに設けられた一対のシールド突出部と接触するように構成されたこと
を特徴とする請求項１１に記載のコネクタ。
【請求項１７】
前記ハウジングの両側にある前記シールドの各々は、相手コネクタに設けられた一対のシールド突出部と接触するための一対の接点を有し、
前記一対の接点は、前記シールドの中央の屈曲部から前記シールドの内側の表面に沿って前記屈曲部から前記シールドの両端方向に延出し、前記シェル平面に形成された切抜き部分から露出した、弾性を有する可動腕部の端部分にあり、
前記一対の接点は、前記相手コネクタと嵌合した状態において、前記シェル平面に形成された切抜き部分を通って、前記シールドの内側に入った、前記一対のシールド突出部と接触するように構成されたこと
を特徴とする請求項１２に記載のコネクタ。
【請求項１８】
前記シールドの前記屈曲部から両端方向に延出した前記可動腕部は、相手コネクタとの嵌合方向に曲げて形成されたこと
を特徴とする請求項１６又は１７に記載のコネクタ。
【請求項１９】
前記ハウジングの両側にある前記シェル平面の各々は、１対の接触片を有し、
前記１対の接触片は、前記シェル平面から延出して対向するように形成され、相手コネクタとの嵌合方向に曲げて形成されたこと
を特徴とする請求項１２に記載のコネクタ。
【請求項２０】
前記１対の接触片は、前記ハウジングの両側にある前記シェル平面の各々に２箇所ずつ設けられたこと
を特徴とする請求項１９に記載のコネクタ。
【請求項２１】
前記コネクタは、レセプタクルコネクタ又はプラグコネクタであること
を特徴とする請求項１０から２０のいずれか１項に記載のコネクタ。
【発明の詳細な説明】
【技術分野】
【０００１】
本発明は、基板間を接続するためのコネクタ装置であって、電気信号の高速伝送に適したプラグコネクタとレセプタクルコネクタとを含むコネクタ装置に関する。具体的には、プラグコネクタとレセプタクルコネクタを嵌合させて電気的に接続させた際に、各コネクタの端子から発生する高周波の電磁波ノイズ信号を遮蔽することが可能なコネクタ装置の各コネクタのシールド構造に関する。
【背景技術】
【０００２】
複数の端子がハウジングにインサート成型（一体成型）等により、長手方向に二列で配列保持された矩形状のハウジングを備え、基板間を接続するプラグ側のコネクタ（プラグコネクタ）及びレセプタクル側のコネクタ（レセプタクルコネクタ）として、例えば、特開２０１７−０３３９０９号公報（特許文献１）に開示されているコネクタ装置がある。
【０００３】
プラグコネクタ及びレセプタクルコネクタは、それぞれプリント配線基板又はフレキシブルフラットケーブル等に設けることができる。例えば、表面実装等でプリント配線基板に設けられたレセプタクルコネクタと、フレキシブルフラットケーブルの端部に設けられたプラグコネクタとを互いに嵌合することで、基板間を接続することができる。
【０００４】
近年、スマートフォン等の携帯端末の伝送データの大容量化や伝送速度の高速化等に伴って、それら携帯端末に内蔵されて、基板間を接続するプラグコネクタ及びレセプタクルコネクタを含むコネクタ装置は、高い周波数の電気信号を何ら損失することなく正確に伝送しなければならない。そのため、互いの端子を介して高い周波数の電気信号を送受信するプラグコネクタとレセプタクルコネクタとの間の伝送は、高周波信号に対する特性（高周波特性）への要求を満足することが必要となる。
【０００５】
このような高周波特性に対する要求の妨げになる要因の１つは、コネクタの端子から発生する電磁波ノイズ信号等のいわゆる電磁妨害（ＥＭＩ）である。特許文献１に開示されたコネクタ装置の１つの従来例では、プラグコネクタ及びレセプタクルコネクタの各々に、長手方向に沿って延在するように設けられたシールド壁部が、各コネクタの端子の端部に設けられた実装部（コンタクト接続部）から発生する電磁波ノイズ信号に対して、電磁遮蔽作用を発揮することで、電磁妨害に対処している。具体的には、従来のコネクタ装置では、プラグコネクタ及びレセプタクルコネクタが嵌合された際に、各コネクタに設けられたシールド壁部同士が、コネクタ幅方向（短手方向）において互いに対向するように配置され、シールド壁部が内外二重に配置されること等によって、コネクタ装置の従来例は電磁遮蔽作用を得て、ＥＭＩ対策を行っている。
【先行技術文献】
【特許文献】
【０００６】
【特許文献１】特開２０１７−０３３９０９号公報
【発明の概要】
【発明が解決しようとする課題】
【０００７】
一般に、スマートフォン、携帯端末等の電子機器の小型化や高機能化等に伴って、プリント配線基板において、素子、基板間を接続するコネクタ等の部品の高密度実装化が進んでおり、部品であるコネクタ自体の小型化を行う必要がある。しかしながら、従来のコネクタ装置では、コネクタ同士の嵌合時に、各コネクタの長手方向に延在するように設けられたシールド壁部が内外二重に配置されるため、この内外二重構造が各コネクタの短手方向の幅を取ってしまうため、コネクタの小型化の妨げとなる。つまり、基板におけるコネクタの占有面積をより小さくすることができず、高密度実装化の妨げとなる。
【０００８】
また、従来のコネクタ装置は、一方のコネクタのシールド壁部の側面に、横方向（基板に対して水平方向）に突出した接触片を設けて、嵌合時に対向する他方のコネクタのシールド壁部に当接させることで、電磁遮蔽効果を得ているのであるから、シールド壁部の内外二重構造は必須の構成である。そのため、コネクタの小型化のために、シールド壁部の内外二重構造を取り除くこともできない。
【０００９】
以上のような課題を解決するために、シールドの内外二重構造を用いることなく、複数の端子を長手方向に配列保持したハウジングと、当該ハウジングの長手方向に沿って設けられたシールドとをそれぞれ含むプラグコネクタ及びレセプタクルコネクタからなるコネクタ装置において、コネクタ同士の嵌合時に、プラグコネクタの端子の電磁遮蔽を行うシールドと、レセプタクルコネクタの端子の電磁遮蔽を行うシールドとが、各ハウジングの長手方向の端部に設けられたシールド嵌合部によって、互いに接触して電気的に接続されることで、シールド間の電位差を実質的になくし、十分な電磁遮蔽作用を得ることが可能なコネクタ装置を提供する。
【課題を解決するための手段】
【００１０】
本発明の１つ実施形態に係るコネクタ装置は、複数のプラグ端子と、長手方向に沿って前記複数のプラグ端子を保持するプラグハウジングと、前記プラグハウジングに保持されるプラグシェルとを備えるプラグコネクタと、
複数のレセプタクル端子と、長手方向に沿って前記複数のレセプタクル端子を保持するレセプタクルハウジングと、前記レセプタクルハウジングに保持されるレセプタクルシェルとを備えるレセプタクルコネクタとを含み、
前記複数のプラグ端子の各々は、前記複数のレセプタクル端子のうち相手端子となるレセプタクル端子と接触する接触部と、実装部とを有し、
前記プラグシェルは、前記プラグハウジングの長手方向に沿って延在する板状のプラグシールドと、前記プラグハウジングに保持される支持部と、基板のグランド電位に接続される実装部とを有し、
前記プラグシールドは、前記プラグハウジングから露出した、前記複数のプラグ端子の各々の実装端部と短手方向で対向しており、
前記複数のレセプタクル端子の各々は、前記複数のプラグ端子のうち相手端子となるプラグ端子と接触する接触部と、実装部とを有し、
前記レセプタクルシェルは、前記レセプタクルハウジングの長手方向に沿って延在する板状のレセプタクルシールドと、前記レセプタクルハウジングに保持される支持部と、基板のグランド電位に接続される実装部とを有し、
前記レセプタクルシールドは、前記レセプタクルハウジングから露出した、前記複数のレセプタクル端子の各々の実装端部と短手方向で対向しており、
前記プラグコネクタと前記レセプタクルコネクタとが嵌合した状態において、前記プラグシェルと前記レセプタクルシェルとが電気的に接続されること
を特徴とする。
【００１１】
本発明に係るコネクタ装置の好ましい実施形態として、前記複数のプラグ端子は、前記プラグハウジングの長手方向の２つの側壁の各々に沿って設けられ、
前記プラグシェルは、前記プラグハウジングの長手方向に沿って延在する板状の前記プラグシールドを両側に有し、
前記プラグシールドの各々は、前記プラグハウジングの前記２つの側壁に設けられた前記複数のプラグ端子の各々の前記実装端部と等しい間隔をあけて短手方向で対向し、
前記複数のレセプタクル端子は、前記レセプタクルハウジングの長手方向の２つの側壁の各々に沿って設けられ、
前記レセプタクルシェルは、前記レセプタクルハウジングの長手方向に沿って延在する板状の前記レセプタクルシールドを両側に有し、
前記レセプタクルシールドの各々は、前記レセプタクルハウジングの前記２つの側壁に設けられた前記複数のレセプタクル端子の各々の前記実装端部と等しい間隔をあけて短手方向で対向し、
前記プラグコネクタと前記レセプタクルコネクタとが嵌合した状態において、前記プラグシェルと前記レセプタクルシェルとが前記短手方向で重なることがなく配置されるとともに、前記プラグシェルと前記レセプタクルシェルとが電気的に接続されること
を特徴とする。
【００１２】
本発明に係るコネクタ装置の好ましい実施形態として、
前記プラグシェルは、前記プラグハウジングの長手方向に沿って延在するプラグシェル平面を両側に有し、
前記プラグシールドは、前記プラグシェル平面に対して直角に折り曲げられた前記プラグシェルの縁部分であり、
前記レセプタクルシェルは、前記レセプタクルハウジングの長手方向に沿って延在するレセプタクルシェル平面を両側に有し、
前記レセプタクルシールドは、前記レセプタクルシェル平面に対して直角に折り曲げられた前記レセプタクルシェルの縁部分であり、
前記プラグコネクタと前記レセプタクルコネクタとが嵌合した状態において、前記プラグシェル平面と前記レセプタクルシェル平面とが互いに対向もしくは接触すること
を特徴とする。
【００１３】
本発明に係るコネクタ装置の好ましい実施形態として、
前記プラグシールド及び前記レセプタクルシールドのうちの一方のシールドの各々は、相手コネクタとの嵌合方向に延出したシールド突出部を有し、
前記プラグシールド及び前記レセプタクルシールドのうちの他方のシールドの各々は、前記シールド突出部を受け入れるためのシールド切欠部を有し、
前記プラグコネクタと前記レセプタクルコネクタとが嵌合した状態において、前記シールド突出部が前記シールド切欠部に挟まれて、前記シールド突出部の側面が前記シールド切欠部の内面に当接すること
を特徴とする。
【００１４】
本発明に係るコネクタ装置の好ましい実施形態として、
前記シールド突出部を備えた前記一方のシールドの厚さは、前記シールド切欠部を備えた前記他方のシールドの厚さよりも厚いこと
を特徴とする。
【００１５】
本発明に係るコネクタ装置の好ましい実施形態として、
前記プラグシールド及び前記レセプタクルシールドのうちの一方のシールドの各々は、相手コネクタとの嵌合方向に延出した一対のシールド突出部を有し、
前記プラグシールド及び前記レセプタクルシールドのうちの他方のシールドの各々は、相手コネクタとの嵌合方向に前記他方のシールドの内側から露出した、前記一対のシールド突出部と接触するための一対の接点を有し、
前記一対の接点の各々は、前記他方のシールドの中央の屈曲部から前記他方のシールドの内側の表面に沿って前記屈曲部から前記他方のシールドの両端方向に延出した弾性を有する可動腕部の端部分にあること
を特徴とする。
【００１６】
本発明に係るコネクタ装置の好ましい実施形態として、
前記他方のシールドの前記屈曲部から両端方向に延出した前記可動腕部は、相手コネクタとの嵌合方向に曲げて形成されたこと
を特徴とする。
【００１７】
本発明に係るコネクタ装置の好ましい実施形態として、
前記プラグシェル平面及び前記レセプタクルシェル平面のうちの一方のシェル平面の各々は、１対の接触片を有し、
前記１対の接触片は、前記一方のシェル平面から延出して対向するように形成され、相手コネクタとの嵌合方向に曲げて形成されたこと
を特徴とする。
【００１８】
本発明に係るコネクタ装置の好ましい実施形態として、
前記１対の接触片は、前記一方のシェル平面の各々に２箇所ずつ設けられたこと
を特徴とする。
【００１９】
本発明の１つの実施形態に係るコネクタは、複数の端子と、長手方向に沿って前記複数の端子を保持するハウジングと、前記ハウジングに保持される外部導体シェルとを含み、
前記複数の端子の各々は、相手端子と接触する接触部と、実装部とを有し、
前記外部導体シェルは、前記ハウジングの長手方向に沿って延在する板状のシールドと、前記ハウジングに保持される支持部と、基板のグランド電位に接続される実装部とを有し、
前記シールドは、前記ハウジングから露出した、前記複数の端子の各々の実装端部と短手方向で対向しており、
相手コネクタとの嵌合した状態において、前記外部導体シェルは、前記相手コネクタの相手外部導体シェルと電気的に接続されること
を特徴とする。
【００２０】
本発明に係るコネクタの好ましい実施形態として、前記複数の端子は、前記ハウジングの長手方向の２つの側壁の各々に沿って設けられ、
前記外部導体シェルは、前記ハウジングの長手方向に延在する板状の前記シールドを両側に有し、
前記シールドの各々は、前記ハウジングの前記２つの側壁に設けられた前記複数の端子の各々の前記実装端部と等しい間隔をあけて短手方向で対向し、
相手コネクタとの嵌合した状態において、前記外部導体シェルと前記相手外部導体シェルとが前記短手方向で重なることがなく配置されるとともに、前記外部導体シェルと前記相手外部導体シェルとが電気的に接続されること
を特徴とする。
【００２１】
本発明に係るコネクタの好ましい実施形態として、前記外部導体シェルは、前記ハウジングの長手方向に延在するシェル平面を両側に有し、
前記シールドは、前記シェル平面に対して直角に折り曲げられた前記外部導体シェルの縁部分であること
を特徴とする。
【００２２】
本発明に係るコネクタの好ましい実施形態として、前記ハウジングの両側にある前記シールドの各々は、相手コネクタとの嵌合方向に延出したシールド突出部を有し、
前記シールド突出部は、前記相手コネクタと嵌合した状態において、前記シールド突出部が前記相手コネクタの相手シールドに設けられたシールド切欠部に挟まれて、前記シールド突出部の側面が前記シールド切欠部の内面に当接するように構成されたこと
を特徴とする。
【００２３】
本発明に係るコネクタの好ましい実施形態として、前記ハウジングの両側にある前記シールドの各々は、シールド切欠部を有し、
前記シールド切欠部は、前記相手コネクタと嵌合した状態において、前記シールド切欠部が前記相手コネクタの相手シールドに設けられたシールド突出部を挟み込み、前記シールド切欠部の内面に前記シールド突出部の側面が当接するように構成されたこと
を特徴とする。
【００２４】
本発明に係るコネクタの好ましい実施形態として、前記ハウジングの両側にある前記シールドの各々は、相手コネクタとの嵌合方向に延出した一対のシールド突出部を有し、
前記一対のシールド突出部の各々は、先端部分が、前記相手コネクタと嵌合した状態において、相手コネクタに設けられた相手接点と当接するように構成されたこと
を特徴とする。
【００２５】
本発明に係るコネクタの好ましい実施形態として、前記ハウジングの両側にある前記シールドの各々は、相手コネクタとの嵌合方向に前記シールドの内側から露出した一対の接点を有し、
前記一対の接点は、前記シールドの中央の屈曲部から前記シールドの内側の表面に沿って前記屈曲部から前記シールドの両端方向に延出した弾性を有する可動腕部の端部分にあり、
前記一対の接点は、前記相手コネクタと嵌合した状態において、相手コネクタに設けられた一対のシールド突出部と接触するように構成されたこと
を特徴とする。
【００２６】
本発明に係るコネクタの好ましい実施形態として、前記ハウジングの両側にある前記シールドの各々は、相手コネクタに設けられた一対のシールド突出部と接触するための一対の接点を有し、
前記一対の接点は、前記シールドの中央の屈曲部から前記シールドの内側の表面に沿って前記屈曲部から前記シールドの両端方向に延出し、前記シェル平面に形成された切抜き部分から露出した、弾性を有する可動腕部の端部分にあり、
前記一対の接点は、前記相手コネクタと嵌合した状態において、前記シェル平面に形成された切抜き部分を通って、前記シールドの内側に入った、前記一対のシールド突出部と接触するように構成されたこと
を特徴とする。
【００２７】
本発明に係るコネクタの好ましい実施形態として、前記シールドの前記屈曲部から両端方向に延出した前記可動腕部は、相手コネクタとの嵌合方向に曲げて形成されたこと
を特徴とする。
【００２８】
本発明に係るコネクタの好ましい実施形態として、前記ハウジングの両側にある前記シェル平面の各々は、１対の接触片を有し、
前記１対の接触片は、前記シェル平面から延出して対向するように形成され、相手コネクタとの嵌合方向に曲げて形成されたこと
を特徴とする。
【００２９】
本発明に係るコネクタの好ましい実施形態として、前記１対の接触片は、前記ハウジングの両側にある前記シェル平面の各々に２箇所ずつ設けられたこと
を特徴とする。
【００３０】
本発明に係るコネクタの好ましい実施形態として、前記コネクタは、レセプタクルコネクタ又はプラグコネクタであること
を特徴とする。
【発明の効果】
【００３１】
本発明に係るコネクタ装置及びコネクタは、コネクタ同士の嵌合時に、プラグコネクタの端子の電磁遮蔽を行うシールドと、レセプタクルコネクタの端子の電磁遮蔽を行うシールドとが、各ハウジングの長手方向の端部に設けられたシールド嵌合部によって、互いに接触して電気的に接続されることで、シールド間の電位差を実質的になくし、十分な電磁遮蔽作用を得ることができる。また、このような構成により、本発明に係るコネクタ装置及びコネクタは、コネクタの小型化を阻害するシールドの内外二重構造を回避することができ、基板におけるコネクタの占有面積をより小さくして、高密度実装化に寄与することができる。
【図面の簡単な説明】
【００３２】
【図１】本発明の第一実施形態に係るコネクタ装置を示す図である。
【図２】本発明の第一実施形態に係るコネクタ装置に含まれるプラグコネクタを示す図である。
【図３】本発明の第一実施形態に係るコネクタ装置に含まれるレセプタクルコネクタを示す図である。
【図４】図１中のプラグコネクタとレセプタクルコネクタとが嵌合した状態において端子同士の接触の様子を示す断面図である。
【図５】本発明の第二実施形態に係るコネクタ装置を示す図である。
【図６】本発明の第二実施形態に係るコネクタ装置が嵌合した状態を示す図である。
【図７】本発明の第三実施形態に係るコネクタ装置を示す図である。
【図８】本発明の第三実施形態に係るコネクタ装置が嵌合した状態を示す図である。
【図９】本発明の第四実施形態に係るコネクタ装置を示す図である。
【図１０】本発明の第四実施形態に係るコネクタ装置に含まれるプラグコネクタを示す図である。
【図１１】本発明の第四実施形態に係るコネクタ装置に含まれるレセプタクルコネクタを示す図である。
【図１２】本発明の第四実施形態に係るコネクタ装置が嵌合した状態を示す図である。
【発明を実施するための形態】
【００３３】
以下に図面を参照して、本発明の実施形態について説明する。なお、実施の形態を説明するための全ての図において、同一部材には原則として同一の符号を付し、その繰り返しの説明は省略する。また、それぞれの実施形態は、独立して説明されているが、互いの構成要素を組み合わせてコネクタを構成することを排除するものではない。
【００３４】
図１は、本発明の第一実施形態に係るコネクタ装置を示す図である。コネクタの嵌合方向は、図中のＺ１―Ｚ２方向（Ｚ軸方向）である。プラグコネクタ１００は、Ｚ軸方向のＺ１側にある相手コネクタであるレセプタクルコネクタ２００と嵌合し、レセプタクルコネクタ２００は、Ｚ軸方向のＺ２側にある相手コネクタであるプラグコネクタ１００と嵌合する。本発明において、長手方向はＸ１―Ｘ２方向（Ｘ軸方向）であり、短手方向はＹ１―Ｙ２方向（Ｙ軸方向）である。図１では、プラグコネクタ１００及びレセプタクルコネクタ２００の各々における複数の端子のうちの一部に符号「１３０」又は「２３０」を付し、その他の同じ形状の端子の符号を省略して示す。以上の事項は、その他の図においても同様である。
【００３５】
図１に示すコネクタ装置は、プラグコネクタ１００とレセプタクルコネクタ２００とを含む。各コネクタは、例えば、携帯電話やスマートフォン、デジタルカメラ、ノートパソコンなどの小型電子機器における内部部品として使用することができる。後述するその他の実施形態のコネクタについても同様である。
【００３６】
プラグコネクタ１００及びレセプタクルコネクタ２００は、プリント配線基板又はフレキシブルフラットケーブル等に半田付けされて実装される。ここでは、プリント配線基板及びフレキシブルフラットケーブル等、コネクタが実装されるものを、単に「基板」と呼ぶ。図１に示すコネクタ装置では、プラグコネクタ１００は、破線で示されたプラグ側基板１０に実装され、レセプタクルコネクタ２００は、破線で示されたレセプタクル側基板２０に実装される。図２以降に示すコネクタ装置、プラグコネクタ、レセプタクルコネクタでは、基板を省略して示す。プラグコネクタ１００及びレセプタクルコネクタ２００は、液晶ポリマー（ＬＣＰ）等の絶縁樹脂製のハウジングを長方形状に成形して構成される。
【００３７】
図２は、図１に示したコネクタ装置のうちのプラグコネクタを示す図である。図１と共に図２を参照すると、プラグコネクタ１００は、複数のプラグ端子１３０と、複数のプラグ端子１３０を保持するプラグハウジング１１０と、プラグハウジング１１０に保持されるプラグシェル１２０とを備える。プラグコネクタ１００は、長方形状のプラグハウジング１１０の中央部分に、長手方向（Ｘ軸方向）に延在する凹状の嵌合凹部１１２（図２参照）を備え、嵌合凹部１１２の短手方向（Ｙ軸方向）の両側（Ｙ１及びＹ２側）には、複数のプラグ端子１３０をそれぞれ保持する第１側壁１１４を備える。第１側壁１１４は、プラグコネクタ１００の長手方向（Ｘ軸方向）に沿って２列設けられ、嵌合凹部１１２は、それら２列の第１側壁１１４の間に形成されている。
【００３８】
プラグコネクタ１００のプラグハウジング１１０は、等しい間隔で長手方向（Ｘ軸方向）に２列に配列した同じ形状の複数のプラグ端子１３０と共にインサート成型（一体成型）されて、複数のプラグ端子１３０を保持することができる。外部導体であるプラグシェル１２０は、プラグハウジング１１０の長手方向（Ｘ軸方向）に沿って延在する板状の第１プラグシールド１２１と、プラグハウジング１１０の短手方向（Ｙ軸方向）の側壁に沿って延在するシールド接続部１２５とを有する。プラグシェル１２０は、第１プラグシールド１２１を両側（Ｙ１側とＹ２側）に１枚ずつ備える。第１プラグシールド１２１は、片側（Ｙ１側又はＹ２側）に１枚で形成されているが、１枚のシールドを分割して複数枚にして形成してもよい。第１プラグシールド１２１は、Ｘ−Ｚ平面と平行な面を有し、長手方向（Ｘ軸方向）において第１側壁２１４より広い範囲にわたって配置されている。
【００３９】
また、プラグシェル１２０は、第１プラグシールド１２１の他に、第２プラグシールド１２２を含み、プラグハウジング１１０の短手方向（Ｙ軸方向）に沿って延在する板状の第２プラグシールド１２２を両側（Ｘ１側とＸ２側）に１枚ずつ備える。第２プラグシールド１２２は、片側（Ｙ１側又はＹ２側）に１枚で形成されているが、１枚のシールドを分割して複数枚にして形成してもよい。第１プラグシールド１２１及び第２プラグシールド１２２の端部は、基板のグランド部（図示せず）に実装するための実装部となり、プラグシェル１２０をグランド電位（接地電位）にすることができる。第２プラグシールド１２２は、Ｙ−Ｚ平面と平行な面を有し、長手方向（Ｘ軸方向）において第１側壁１１４より広い範囲にわたって配置する。プラグコネクタ１００とレセプタクルコネクタ２００とが嵌合した状態において、プラグシェル１２０は、相手外部導体シェルであるレセプタクルシェル２２０と電気的に接続される。
【００４０】
プラグハウジング１１０の周囲（Ｘ−Ｙ平面上の周囲）は、第１プラグシールド１２１及び第２プラグシールド１２２によって第１間隔１１５及び第２間隔１１７をあけて取り囲まれる。第１間隔１１５は、プラグハウジング１１０の第１側壁１１４から第１プラグシールド１２１までの間隔であり、第２間隔１１７は、プラグハウジング１１０の第２側壁１１６から第２プラグシールド１２２までの間隔である。第１側壁１１４と第１プラグシールド１２１とは平行であり、第２側壁１１６と第２プラグシールド１２２とは平行であるから、第１間隔１１５及び第２間隔１１７は、それぞれ一定の値である。第１プラグシールド１２１は、プラグハウジング１１０から露出した、複数のプラグ端子１３０の各々の実装部１３２の端部である実装端部１３１（図４参照）と短手方向（Ｙ軸方向）で等しい間隔をあけて対向する。
【００４１】
プラグシェル１２０は、プラグハウジング１１０の長手方向（Ｘ軸方向）に沿って延在する第１プラグシェル平面１２３を両側（Ｙ１側とＹ２側）に１枚ずつ備える。第１プラグシールド１２１は、第１プラグシェル平面１２３に対して直角に折り曲げられたプラグシェル１２０の縁部分である。また、プラグシェル１２０は、プラグハウジング１１０の短手方向（Ｙ軸方向）に沿って延在する第２プラグシェル平面１２４を両側（Ｘ１側とＸ２側）に１枚ずつ備える。第２プラグシールド１２２は、第２プラグシェル平面１２４に対して直角に折り曲げられたプラグシェル１２０の縁部分である。第１プラグシェル平面１２３及び第２プラグシェル平面１２４は、片側（Ｙ１側又はＹ２側）に１枚で形成されているが、１枚のシェル平面を分割して複数枚にして形成してもよい。第１プラグシェル平面１２３及び第２プラグシェル平面１２４は、Ｘ−Ｙ平面を有する。
【００４２】
プラグシェル１２０は、第２プラグシェル平面１２４の各々の中央部分から嵌合凹部１１２に向けて延出した部分にシールド接続部１２５及びプラグハウジング支持部１２６を含む。シールド接続部１２５は、プラグハウジング１１０の短手方向（Ｙ軸方向）に延在する第２側壁１１６とプラグシェル１２０との間、具体的には、プラグハウジング１１０の当該側壁を把持してプラグシェル１２０の内側に固定するプラグハウジング支持部１２６と第２プラグシェル平面１２４との間に位置する。図１及び図２に示す実施形態では、シールド接続部１２５の形状は凹状であるが、これに限定されるものではなく、凸状の形状であってもよく、レセプタクルコネクタ２００のレセプタクルハウジング支持部２２５と嵌合可能であればどのような形状でもよい。
【００４３】
プラグハウジング支持部１２６は、プラグハウジング１１０の長手方向（Ｘ軸方向）の両側（Ｘ１側とＸ２側）にある第２側壁１１６の各々に、当該側壁に沿って短手方向（Ｙ軸方向）のに延在する。複数のプラグ端子１３０は、リン青銅等の金属からなり、プラグハウジング１１０の長手方向（Ｘ軸方向）の２つの第１側壁１１４に各々設けられ、等間隔に配列される。嵌合凹部１１２は、プラグハウジング１１０の側壁に四方を囲まれて形成されている。
【００４４】
図３は、図１に示したコネクタ装置のうちのレセプタクルコネクタを示す図である。図１と共に図３を参照すると、レセプタクルコネクタ２００は、複数のレセプタクル端子２３０と、複数のレセプタクル端子２３０を保持するレセプタクルハウジング２１０と、レセプタクルハウジング２１０に保持されるレセプタクルシェル２２０とを備える。レセプタクルコネクタ２００は、長方形状のレセプタクルハウジング２１０の中央部分に、長手方向（Ｘ軸方向）に延在する凸状の嵌合凸部２１２を備え、嵌合凸部２１２の短手方向（Ｙ軸方向）の両側（Ｙ１及びＹ２側）には、複数のレセプタクル端子２３０をそれぞれ保持する第１側壁２１４を備える。第１側壁２１４は、レセプタクルコネクタ２００の長手方向（Ｘ軸方向）に沿って２列設けられ、嵌合凸部２１２は、それら２列の第１側壁２１４の間に形成されている。嵌合凸部２１２と２列の第１側壁２１４との間には、プラグコネクタ１００の２列の第１側壁１１４と嵌り合う嵌合空間２１３が形成されている。嵌合空間２１３は、嵌合凸部２１２の四方を取り囲み、嵌合凸部２１２と第１側壁２１４及び第２側壁２１６との間の空間である。
【００４５】
レセプタクルコネクタ２００のレセプタクルハウジング２１０は、等しい間隔で長手方向（Ｘ軸方向）に２列に配列した同じ形状の複数のレセプタクル端子２３０と共にインサート成型（一体成型）されて、複数のレセプタクル端子２３０を保持することができる。外部導体であるレセプタクルシェル２２０は、レセプタクルハウジング２１０の長手方向（Ｘ軸方向）に沿って延在する板状の第１レセプタクルシールド２２１と、レセプタクルハウジング２１０の短手方向（Ｙ軸方向）の第２側壁２１６に沿って延在するレセプタクルハウジング支持部２２５とを有する。レセプタクルハウジング支持部２２５は、レセプタクルハウジング２１０に保持されるレセプタクルシェル２２０は、第１レセプタクルシールド２２１を両側（Ｙ１側とＹ２側）に１枚ずつ備える。第１レセプタクルシールド２２１は、片側（Ｙ１側又はＹ２側）に１枚で形成されているが、１枚を分割して複数枚にして形成してもよい。第１レセプタクルシールド２２１は、Ｘ−Ｚ平面と平行な面を有する。
【００４６】
また、レセプタクルシェル２２０は、第１レセプタクルシールド２２１の他に、第２レセプタクルシールド２２２を含み、レセプタクルハウジング２１０の短手方向（Ｙ軸方向）に沿って延在する板状の第２レセプタクルシールド２２２を両側（Ｘ１側とＸ２側）に２枚ずつ備える。図１及び図３に示す実施形態では、第２レセプタクルシールド２２２は片側（Ｙ１側又はＹ２側）で２枚に分かれているが、１枚のシールドで形成してもよいし、１枚のシールドを分割して複数枚にして形成してもよい。第１レセプタクルシールド２２１及び第２レセプタクルシールド２２２の端部は、基板のグランド部（図示せず）に実装するための実装部となり、レセプタクルシェル２２０をグランド電位（接地電位）にすることができる。第２レセプタクルシールド２２２は、Ｙ−Ｚ平面と平行な面を有し、長手方向（Ｘ軸方向）において第１側壁２１４より広い範囲にわたって配置する。プラグコネクタ１００とレセプタクルコネクタ２００とが嵌合した状態において、レセプタクルシェル２２０は、相手外部導体シェルであるプラグシェル１２０と電気的に接続される。
【００４７】
レセプタクルハウジング２１０の周囲（Ｘ−Ｙ平面上の周囲）は、第１レセプタクルシールド２２１及び第２レセプタクルシールド２２２によって第１間隔２１５及び第２間隔２１７をあけて取り囲まれる。第１間隔２１５は、レセプタクルハウジング２１０の第１側壁２１４から第１レセプタクルシールド２２１までの間隔であり、第２間隔２１７は、レセプタクルハウジング２１０の第２側壁２１６から第２レセプタクルシールド２２２までの間隔である。第１側壁２１４と第１レセプタクルシールド２２１とは平行であり、第２側壁２１６と第２レセプタクルシールド２２２とは平行であるから、第１間隔２１５及び第２間隔２１７は、それぞれ一定の値である。第１レセプタクルシールド２２１は、レセプタクルハウジング２１０から露出した、複数のレセプタクル端子２３０の各々の実装部２３２の端部である実装端部２３１（図４参照）と短手方向（Ｙ軸方向）で等しい間隔をあけて対向する。
【００４８】
レセプタクルシェル２２０は、レセプタクルハウジング２１０の長手方向（Ｘ軸方向）に沿って延在する第１レセプタクルシェル平面２２３を両側（Ｙ１側とＹ２側）に１枚ずつ備える。第１レセプタクルシールド２２１は、第１レセプタクルシェル平面２２３に対して直角に折り曲げられたレセプタクルシェル２２０の縁部分である。また、レセプタクルシェル２２０は、レセプタクルハウジング２１０の短手方向（Ｙ軸方向）に沿って延在する第２レセプタクルシェル平面２２４を両側（Ｘ１側とＸ２側）に１枚ずつ備える。第２レセプタクルシールド２２２は、第２レセプタクルシェル平面２２４に対して直角に折り曲げられたレセプタクルシェル２２０の縁部分である。第１レセプタクルシェル平面２２３及び第２レセプタクルシェル平面２２４は、片側（Ｙ１側又はＹ２側）に１枚で形成されているが、１枚のシェル平面を分割して複数枚にして形成してもよい。第１レセプタクルシェル平面２２３及び第２レセプタクルシェル平面２２４は、Ｘ−Ｙ平面を有する。
【００４９】
レセプタクルシェル２２０は、第２レセプタクルシェル平面２２４の各々の中央部分から嵌合凸部２１２に向けて延出した部分にレセプタクルハウジング支持部２２５を含む。レセプタクルハウジング支持部２２５は、レセプタクルハウジング２１０の長手方向（Ｘ軸方向）の両側（Ｘ１側とＸ２側）にある第２側壁２１６の各々に沿って設けられ、レセプタクルハウジング２１０の短手方向（Ｙ軸方向）の各第２側壁２１６に沿って延在する。また、レセプタクルハウジング支持部２２５は、当該側壁を把持してレセプタクルシェル２２０の内側に、レセプタクルハウジング２１０を固定する。図１及び図３に示す実施形態では、レセプタクルハウジング支持部２２５の形状は凸状であるが、これに限定されるものではなく、凹状の形状であってもよく、プラグコネクタ１００のシールド接続部１２５と嵌合可能であればどのような形状でもよい。
【００５０】
複数のレセプタクル端子２３０は、リン青銅等の金属からなり、レセプタクルハウジング２１０の長手方向（Ｘ軸方向）の２つの第１側壁２１４に各々設けられ、等間隔に配列される。嵌合凸部２１２は、レセプタクルハウジング２１０の第１側壁２１４及び第２側壁２１６に四方を囲まれて形成されている。
【００５１】
図４は、図１中のプラグコネクタとレセプタクルコネクタとが嵌合した状態において端子同士の接触の様子を示す断面図である。プラグコネクタ１００とレセプタクルコネクタ２００とが電気的に接続された状態では、プラグハウジング１１０の嵌合凹部１１２に、レセプタクルハウジング２１０の嵌合凸部２１２が入り込んで嵌合される。
【００５２】
プラグ端子１３０は、内側固定部１３３、頂部１３４、及び外側固定部１３５からなる略Ｕ字状に湾曲した部分を含み、内側固定部１３３と外側固定部１３５とは、プラグ端子１３０の内側で互いに向き合う位置に形成されている。プラグ端子１３０は、プラグコネクタ１００の長手方向（Ｘ軸方向）の第１側壁１１４を、実装部１３２と、内側固定部１３３と、頂部１３４と、外側固定部１３５と、埋没部１３７とで包み込むようにして、プラグハウジング１１０に保持される。これにより、内側固定部１３３と外側固定部１３５の間、すなわち、プラグ端子１３０の内側には樹脂が存在し、若しくは充填されている。
【００５３】
プラグ端子１３０は、基板に実装される側（Ｚ２側）に、内側固定部１３３から湾曲した部分を経て、プラグコネクタ１００の短手方向（Ｙ軸方向）外側（内側固定部１３３がＹ１側にあればＹ２側、内側固定部１３３がＹ２側にあればＹ１側）に延在し、基板に実装される（半田付けされる）実装部１３２を有する。
【００５４】
実装部１３２の端部である実装端部１３１は、第１プラグシールド１２１と短手方向（Ｙ軸方向）で対向する。プラグハウジング１１０の一方の側（例えばＹ１側）の第１側壁１１４で保持されるプラグ端子１３０の実装端部１３１は、同じ側（Ｙ１側）の第１プラグシールド１２１と短手方向（Ｙ軸方向）で対向し、プラグハウジング１１０の他方の側（例えばＹ２側）の第１側壁１１４で保持されるプラグ端子１３０の実装端部１３１は、同じ側（Ｙ２側）の第１プラグシールド１２１と短手方向（Ｙ軸方向）で対向する。また、プラグコネクタ１００とレセプタクルコネクタ２００とが嵌合した状態において、プラグシェル１２０とレセプタクルシェル２２０とが短手方向（Ｙ軸方向）で重なることがなく配置されるとともに、プラグシェル１２０とレセプタクルシェル２２０とが電気的に接続される。ここで、短手方向（Ｙ軸方向）で重なることがなく配置されるとは、短手方向（Ｙ軸方向）においてプラグシェルとレセプタクルシェル（シールド同士）が対向して接触した状態を含まない配置である。
【００５５】
図４に加えて図２も参照すると、プラグ端子１３０とプラグハウジング１１０とのインサート成型により、プラグ端子１３０の内側固定部１３３及び頂部１３４は、第１側壁１１４の表面と同一の表面をなすように、内側固定部１３３の側面及び頂部１３４の側面を第１側壁１１４に埋め込まれる。また、外側固定部１３５の端部分も、埋没部１３７として第１側壁１１４に埋め込まれる。外側固定部１３５は、相手端子であるレセプタクル端子２３０と接触するために、短手方向（Ｙ軸方向）外側（内側固定部１３３がＹ１側にあればＹ１側、内側固定部１３３がＹ２側にあればＹ２側）に突き出して形成された接触部１３６を備える。
【００５６】
プラグ端子１３０の内側固定部１３３の表面は、レセプタクル端子２３０と接触する接触部として機能し、レセプタクル端子２３０に設けられた接触部２３８と接圧をもって接触することができる。また、プラグ端子１３０の外側固定部１３５に設けられた接触部１３６は、レセプタクル端子２３０の固定部２３５に接触することができる。
【００５７】
図４に示されるように、レセプタクル端子２３０は、嵌合凸部２１２側に、相手コネクタとの嵌合方向（Ｚ軸方向）に延在する自由端であり弾性を有する可動部２３７を含む。可動部２３７は、プラグ端子１３０の内側固定部１３３と接触する接触部２３８と、接触部２３８よりも端にあり嵌合凸部２１２側を向いた可動端部２３９とを有する。また、レセプタクル端子２３０は、レセプタクルコネクタ２００の長手方向（Ｘ軸方向）の第１側壁２１４に保持される頂部２３４と、頂部２３４を中心に上下逆のＵ字状に形成された部分を構成する脚部２３３及び固定部２３５とを含み、固定部２３５は、可動部２３７と共に、底部２３６を中心にＵ字状に形成された部分を構成する。
【００５８】
レセプタクル端子２３０は、基板に実装される側（Ｚ１側）に、脚部２３３から湾曲した部分を経て、レセプタクルコネクタ２００の短手方向（Ｙ軸方向）外側（脚部２３３がＹ１側にあればＹ１側、脚部２３３がＹ２側にあればＹ２側）に延在し、基板に実装される（半田付けされる）実装部２３２を有する。
【００５９】
実装部２３２の端部である実装端部２３１は、第１レセプタクルシールド２２１と短手方向（Ｙ軸方向）で対向する。レセプタクルハウジング２１０の一方の側（例えばＹ１側）の第１側壁１１４で保持されるレセプタクル端子２３０の実装端部２３１は、同じ側（Ｙ１側）の第１レセプタクルシールド２２１と短手方向（Ｙ軸方向）で対向し、レセプタクルハウジング２１０の他方の側（例えばＹ２側）の第１側壁２１４で保持されるレセプタクル端子２３０の実装端部２３１は、同じ側（Ｙ２側）の第１レセプタクルシールド２２１と短手方向（Ｙ軸方向）で対向する。
【００６０】
図４に加えて図３も参照すると、レセプタクル端子２３０とレセプタクルハウジング２１０とのインサート成型により、レセプタクル端子２３０は、底部２３６、固定部２３５、頂部２３４及び脚部２３３で、レセプタクルハウジング２１０の長手方向（Ｘ軸方向）の第１側壁２１４及びその周辺部分で保持される。第１側壁２１４から露出した上下逆のＵ字状部分の表面が、第１側壁２１４の表面と同一の面をなすように、レセプタクル端子２３０の頂部２３４の裏面（第１側壁２１４に対向する面）と、固定部２３５の裏面（脚部２３３に対向する面）と、脚部２３３の裏面（固定部２３５に対向する面）とが、第１側壁２１４に埋め込まれて保持される。
【００６１】
レセプタクル端子２３０の可動部２３７は、固定部２３５側に突出させて形成された接触部２３８を先端部分に有し、接触部２３８は、プラグコネクタ１００との嵌合状態においてプラグ端子１３０の内側固定部１３３と接圧をもって接触することができる。また、レセプタクル端子２３０の固定部２３５は、可動部２３７側の表面はプラグコネクタ１００との嵌合状態においてプラグ端子１３０の凸状の接触部１３６と接圧をもって接触することができる。
【００６２】
図１に示すプラグコネクタ１００とレセプタクルコネクタ２００とが、図４に示すように電気的に接続されると、プラグハウジング１１０の短手方向（Ｙ軸方向）の第２側壁１１６に沿って延在するシールド接続部１２５と、レセプタクルハウジング２１０の短手方向（Ｙ軸方向）の第２側壁２１６に沿って延在するレセプタクルハウジング支持部２２５とが嵌合した状態となり、第１プラグシールド１２１と第１レセプタクルシールド２２１とが電気的に接続される。また、シールド接続部１２５と、レセプタクルハウジング支持部２２５とが嵌合した状態において、嵌合方向（Ｚ軸方向）で、第１プラグシェル平面１２３と第１レセプタクルシェル平面２２３とが互いに対向もしくは接触し、さらに、第２プラグシェル平面１２４及び第２レセプタクルシェル平面２２４についても同様に、互いに対向もしくは接触する。
【００６３】
このような構成により、第一実施形態に係るコネクタ装置及びコネクタは、コネクタ同士の嵌合時に、プラグコネクタ１００のプラグ端子１３０の電磁遮蔽を行う第１プラグシールド１２１と、レセプタクルコネクタ２００のレセプタクル端子２３０の電磁遮蔽を行う第１レセプタクルシールド２２１とが、プラグハウジング１１０及びレセプタクルハウジング２１０の各々の長手方向（Ｘ軸方向）の両側（Ｘ１側とＸ２側の）端部に設けられたシールド接続部１２５及びレセプタクルハウジング支持部２２５によって、互いに接触して電気的に接続されることで、シールド間の電位差を実質的になくし、十分な電磁遮蔽作用を得ることができる。
【００６４】
また、第１プラグシェル平面１２３と第１レセプタクルシェル平面２２３とが互いに対向もしくは接触し、さらに、第２プラグシェル平面１２４と第２レセプタクルシェル平面２２４とが互いに対向もしくは接触することによっても、同様の電磁遮蔽作用を得ることができる。
【００６５】
図４に示されるように、プラグコネクタ１００では、実装端部１３１と第１プラグシールド１２１との間に設けられた空間として第１間隔１１５を介して、実装端部１３１と第１プラグシールド１２１とが対向することによって、実装部１３２付近で発生する電磁波を遮蔽し、当該電磁波がプラグコネクタ１００の外部に漏れることを確実に遮蔽することができる。同様に、レセプタクルコネクタ２００では、実装端部２３１と第１レセプタクルシールド２２１との間に設けられた空間として第１間隔２１５を介して、実装端部２３１と第１レセプタクルシールド２２１とが対向することによって、実装部２３２付近で発生する電磁波を遮蔽し、当該電磁波がレセプタクルコネクタ２００の外部に漏れることを確実に遮蔽することができる。すなわち、プラグ端子１３０及びレセプタクル端子２３０に高周波の同軸信号や差動信号を伝送した場合であっても、コネクタ装置から電磁波が漏れることがなく、十分な電磁遮蔽作用を得ることができる。
【００６６】
さらに、このような構成により、本発明に係るコネクタ装置及びコネクタは、短手方向（Ｙ軸方向）にプラグシールドとレセプタクルシールドを重ねることがないから、コネクタの小型化を阻害するシールドの内外二重構造を回避することができ、基板におけるコネクタの占有面積をより小さくして、高密度実装化に寄与することができる。これらの作用効果は、以下で説明する他の実施形態でも同様である。
【００６７】
本明細書においては、コネクタ装置に含まれる２つのコネクタを区別するために、プラグコネクタ及びレセプタクルコネクタと呼び、各々の部材又は部品等を、プラグハウジングとレセプタクルハウジング、プラグ端子とレセプタクル端子、プラグシェルとレセプタクルシェルと呼んでいるが、区別せずに呼ぶ場合には、プラグ及びレセプタクルとの表現を省略して、単にコネクタ、ハウジング、端子、シェル（又は外部導体シェル）等と呼ぶことにする。また、第１プラグシールド及び第１レセプタクルシールドを、それぞれ単にプラグシールド、レセプタクルシールドとも呼び、コネクタの形状で区別しない場合には、単にシールドと呼ぶ。
【００６８】
図５は、本発明の第二実施形態に係るコネクタ装置を示し、図６は図５に示すプラグコネクタとレセプタクルコネクタが嵌合した状態を示す図である。図５及び図６に示すコネクタ装置は、プラグコネクタ３００とレセプタクルコネクタ４００とを含む。プラグコネクタ３００及びレセプタクルコネクタ４００は、第一実施形態に係るプラグコネクタ１００及びレセプタクルコネクタ２００の基本的な構成と同様である。
【００６９】
プラグコネクタ３００は、複数のプラグ端子１３０と、複数のプラグ端子１３０を保持するプラグハウジング３１０と、プラグハウジング３１０に保持されるプラグシェル３２０とを備える。プラグハウジング３１０の基本的な構成は、例えば、第一実施形態に係るプラグハウジング１１０と同じである。
【００７０】
プラグコネクタ３００のプラグハウジング３１０は、等しい間隔で長手方向（Ｘ軸方向）に２列に配列した同じ形状の複数のプラグ端子１３０と共にインサート成型（一体成型）されて、複数のプラグ端子１３０を保持することができる。外部導体であるプラグシェル３２０は、プラグハウジング３１０の長手方向（Ｘ軸方向）に沿って延在し、第１側壁３１４と対向する板状の第１プラグシールド３２１と、プラグハウジング３１０の短手方向（Ｙ軸方向）の第２側壁３１６に沿って延在するプラグ嵌合部３２５とを有する。プラグシェル３２０は、第１プラグシールド３２１を両側（Ｙ１側とＹ２側）に１枚ずつ備える。
【００７１】
また、プラグシェル３２０は、第１プラグシールド３２１の他に、第２プラグシールド３２２を含み、プラグハウジング３１０の短手方向（Ｙ軸方向）に沿って延在する板状の第２プラグシールド３２２を両側（Ｘ１側とＸ２側）に２枚ずつ備える。
【００７２】
プラグシェル３２０は、プラグハウジング３１０の長手方向（Ｘ軸方向）に沿って延在する第１プラグシェル平面３２３を両側（Ｙ１側とＹ２側）に１枚ずつ備える。また、プラグシェル３２０は、プラグハウジング３１０の短手方向（Ｙ軸方向）に沿って延在する第２プラグシェル平面３２４を両側（Ｘ１側とＸ２側）に１枚ずつ備える。
【００７３】
レセプタクルコネクタ４００は、複数のレセプタクル端子２３０と、複数のレセプタクル端子２３０を保持するレセプタクルハウジング４１０と、レセプタクルハウジング４１０に保持されるレセプタクルシェル４２０とを備える。レセプタクルハウジング４１０の基本的な構成は、例えば、第一実施形態に係るレセプタクルハウジング２１０と同じである。
【００７４】
レセプタクルコネクタ４００のレセプタクルハウジング４１０は、等しい間隔で長手方向（Ｘ軸方向）に２列に配列した同じ形状の複数のレセプタクル端子２３０と共にインサート成型（一体成型）されて、複数のレセプタクル端子２３０を保持することができる。外部導体であるレセプタクルシェル４２０は、レセプタクルハウジング４１０の長手方向（Ｘ軸方向）に沿って延在する板状の第１レセプタクルシールド４２１と、レセプタクルハウジング４１０の短手方向（Ｙ軸方向）の第２側壁４１６に沿って延在するレセプタクル嵌合部４２４とを有する。レセプタクルシェル４２０は、第１レセプタクルシールド４２１を両側（Ｙ１側とＹ２側）に１枚ずつ備える。
【００７５】
図５に示す実施形態では、レセプタクル嵌合部４２４は、２つに分かれているが、１つのレセプタクル嵌合部で形成してもよいし、１つのレセプタクル嵌合部を分割して複数のレセプタクル嵌合部を形成してもよい。
【００７６】
また、レセプタクルシェル４２０は、第１レセプタクルシールド４２１の他に、第２レセプタクルシールド４２２を含み、レセプタクルハウジング４１０の短手方向（Ｙ軸方向）に沿って延在する板状の第２レセプタクルシールド４２２を両側（Ｘ１側とＸ２側）に２枚ずつ備える。
【００７７】
レセプタクルシェル４２０は、第１レセプタクルシールド４２１から嵌合方向（Ｚ軸方向）の相手コネクタ側（Ｚ２側）に延出したレセプタクルシールド突出部４２６を、第１レセプタクルシールド４２１の中央部分に備える。第二実施形態に係るレセプタクルシェル４２０は、図１及び図３に示す第一実施形態のような第１レセプタクルシェル平面２２３及び第２レセプタクルシェル平面２２４に相当する構成は備えていないが、これに限定されるものではなく、第１及び第２レセプタクルシェル平面を設けてもよい。
【００７８】
プラグハウジング３１０の両側に設けられた第１プラグシールド３２１の各々は、相手コネクタであるレセプタクルコネクタ４００の第１レセプタクルシールド４２１に設けられたレセプタクルシールド突出部４２６を受け入れるためのプラグシールド切欠部３２６を中央部分に有する。プラグシールド切欠部３２６の内側の面（プラグハウジング３１０の長手方向（Ｘ軸方向）の両側の内壁表面）が、レセプタクルシールド突出部４２６との接点３２８となる。また、レセプタクルシールド突出部４２６の側壁が、プラグシールド切欠部３２６との接点４２８となる。レセプタクルシールド突出部４２６を備えた第１レセプタクルシールド４２１の厚さは、プラグシールド切欠部を備えた第１プラグシールドの厚さよりも厚くして、第１レセプタクルシールド４２１を形成することができる。
【００７９】
図５及び図６に示す第二実施形態では、プラグコネクタ３００の方にプラグシールド切欠部３２６を設け、レセプタクルコネクタ４００の方にレセプタクルシールド突出部４２６を設けているが、これに限定されるものではなく、シールド切欠部をレセプタクルコネクタに設け、シールド突出部をプラグコネクタに設けてもよい。以下の実施形態においても、プラグコネクタの構成とレセプタクルコネクタの構成とを互いに入れ替えることは可能である。
【００８０】
図７は、本発明の第三実施形態に係るコネクタ装置を示し、図８は図７に示すプラグコネクタとレセプタクルコネクタが嵌合した状態を示す図である。図７及び図８に示すコネクタ装置は、プラグコネクタ５００とレセプタクルコネクタ６００とを含む。プラグコネクタ５００及びレセプタクルコネクタ６００は、第一実施形態に係るプラグコネクタ１００及びレセプタクルコネクタ２００の基本的な構成、及び第二実施形態に係るプラグコネクタ３００及びレセプタクルコネクタ４００の基本的な構成と同様である。
【００８１】
プラグコネクタ５００は、複数のプラグ端子１３０と、複数のプラグ端子１３０を保持するプラグハウジング５１０と、プラグハウジング５１０に保持されるプラグシェル５２０とを備える。プラグハウジング５１０の基本的な構成は、例えば、第三実施形態に係るプラグハウジング３１０と同じである。
【００８２】
プラグコネクタ５００のプラグハウジング５１０は、等しい間隔で長手方向（Ｘ軸方向）に２列に配列した同じ形状の複数のプラグ端子１３０と共にインサート成型（一体成型）されて、複数のプラグ端子１３０を保持することができる。外部導体であるプラグシェル５２０は、プラグハウジング５１０の長手方向（Ｘ軸方向）に沿って延在する板状の第１プラグシールド５２１と、プラグハウジング５１０の短手方向（Ｙ軸方向）の第２側壁５１６に沿って延在するシールド接続部５２５とを有する。プラグシェル５２０は、第１プラグシールド５２１を両側（Ｙ１側とＹ２側）に１枚ずつ備える。
【００８３】
また、プラグシェル５２０は、第１プラグシールド５２１の他に、第２プラグシールド５２２を含み、プラグハウジング５１０の短手方向（Ｙ軸方向）に沿って延在する板状の第２プラグシールド５２２を両側（Ｘ１側とＸ２側）に２枚ずつ備える。
【００８４】
プラグシェル５２０は、プラグハウジング５１０の長手方向（Ｘ軸方向）に沿って延在する第１プラグシェル平面５２３を両側（Ｙ１側とＹ２側）に１枚ずつ備える。また、プラグシェル５２０は、プラグハウジング５１０の短手方向（Ｙ軸方向）に沿って延在する第２プラグシェル平面５２４を両側（Ｘ１側とＸ２側）に１枚ずつ備える。
【００８５】
レセプタクルコネクタ６００は、複数のレセプタクル端子２３０と、複数のレセプタクル端子２３０を保持するレセプタクルハウジング６１０と、レセプタクルハウジング６１０に保持されるレセプタクルシェル６２０とを備える。レセプタクルハウジング６１０の基本的な構成は、例えば、第三実施形態に係るレセプタクルハウジング４１０と同じである。
【００８６】
レセプタクルコネクタ６００のレセプタクルハウジング６１０は、等しい間隔で長手方向（Ｘ軸方向）に２列に配列した同じ形状の複数のレセプタクル端子２３０と共にインサート成型（一体成型）されて、複数のレセプタクル端子２３０を保持することができる。外部導体であるレセプタクルシェル６２０は、レセプタクルハウジング６１０の長手方向（Ｘ軸方向）に沿って延在し、第１側壁５１４と対向する板状の第１レセプタクルシールド６２１と、レセプタクルハウジング６１０の短手方向（Ｙ軸方向）の第２側壁６１６に沿って延在するレセプタクルハウジング支持部６２４とを有する。レセプタクルシェル６２０は、第１レセプタクルシールド６２１を両側（Ｙ１側とＹ２側）に１枚ずつ備える。
【００８７】
また、レセプタクルシェル６２０は、第１レセプタクルシールド６２１の他に、第２レセプタクルシールド６２２を含み、レセプタクルハウジング６１０の短手方向（Ｙ軸方向）に沿って延在する板状の第２レセプタクルシールド６２２を両側（Ｘ１側とＸ２側）に２枚ずつ備える。
【００８８】
レセプタクルシェル６２０は、第１レセプタクルシールド６２１から嵌合方向（Ｚ軸方向）の相手コネクタ側（Ｚ２側）に延出した一対のレセプタクルシールド突出部６２６を備える。第三実施形態に係るレセプタクルシェル６２０は、２枚の第１レセプタクルシールド６２１の各々に一対のレセプタクルシールド突出部６２６を設けているが、これに限定されるものではなく、相手コネクタの外部導体シェル（プラグコネクタのプラグシェル）との接点の数、相手コネクタの長手方向（Ｘ軸方向）の幅等に応じて、レセプタクルシールド突出部を適宜増減させることができる。
【００８９】
プラグハウジング５１０の両側に設けられた第１プラグシールド５２１の各々は、相手コネクタであるレセプタクルコネクタ６００の第１レセプタクルシールド６２１に設けられた一対のレセプタクルシールド突出部６２６と接触するための一対の接点５２９を有する。第１プラグシールド５２１は、中央の縁部分から内側（Ｙ１側の第１プラグシールド５２１であればＹ２側、Ｙ２側の第１プラグシールド５２１であればＹ１側）に屈曲した屈曲部５２６を備える。一対の接点５２９の各々は、第１プラグシールド５２１の中央の屈曲部５２６から、第１プラグシールド５２１の内側の表面（プラグハウジング５１０に対向する第１プラグシールド５２１の面）に沿って、屈曲部５２６から第１プラグシールド５２１の両端方向（Ｘ軸方向）に延出した弾性を有する可動腕部５２７の端部分である可動端部５２８にある。可動腕部５２７は、相手コネクタであるレセプタクルコネクタ６００との嵌合方向（Ｚ軸方向）の相手コネクタ側（Ｚ２側）に曲げて形成されている。
【００９０】
第三実施形態に係るプラグシェル５２０は、２枚の第１プラグシールド５２１の各々に、可動端部５２８を有する可動腕部５２７が形成される屈曲部５２６を１つずつ設けているが、これに限定されるものではなく、相手コネクタのシールド突出部（レセプタクルコネクタのレセプタクルシールド突出部）の数、相手コネクタの長手方向（Ｘ軸方向）の幅等に応じて、可動端部５２８を有する可動腕部５２７が形成される屈曲部５２６を適宜増減させることができる。
【００９１】
可動腕部５２７の可動端部５２８は、第１プラグシェル平面５２３に形成された切抜き部分から嵌合方向（Ｚ軸方向）のレセプタクルコネクタ６００側（Ｚ１側）に露出し、一対の接点５２９は、シールド接続部５２５とレセプタクルハウジング支持部６２４、とが嵌合した状態において、第１プラグシェル平面に形成された切抜き部分を通って、第１プラグシールド５２１の内側に入った、一対のレセプタクルシールド突出部６２６と接触する。一対のレセプタクルシールド突出部６２６の先端部分の各々が、一対の可動端部５２８の接点５２９との接点６２８となる。なお、レセプタクルシールド突出部６２６が、第１プラグシールド５２１の内側に入り込むことで、プラグシェル５２０とレセプタクルシェル６２０とが短手方向（Ｙ軸方向）において対向する部分がわずかに生じ得るが、レセプタクルシールド突出部６２６と接点５２９は、短手方向（Ｙ軸方向）において対向して接触した状態にはなり得ない。単に、レセプタクルシールド突出部６２６と接点５２９は、長手方向（Ｘ軸方向）において対向して接触した状態となるだけである。そうすると、レセプタクルシールド突出部６２６が、第１プラグシールド５２１の内側に入り込むことで、短手方向（Ｙ軸方向）においてわずかに生じ得るプラグシェル５２０とレセプタクルシェル６２０との対向する部分は、本発明において、プラグシェル５２０とレセプタクルシェル６２０が短手方向（Ｙ軸方向）で重なることがなく配置されることに該当しない。
【００９２】
図９は、本発明の第四実施形態に係るコネクタ装置を示し、図１０及び図１１は、図９に示したコネクタ装置のうちのプラグコネクタとレセプタクルコネクタをそれぞれ示す図である。また、図１２は、図９に示すプラグコネクタとレセプタクルコネクタが嵌合した状態を示す図である。図９及び図１２に示すコネクタ装置は、図１０及び図１１に示したプラグコネクタ７００とレセプタクルコネクタ８００とを含む。プラグコネクタ７００及びレセプタクルコネクタ８００は、第一実施形態に係るプラグコネクタ１００及びレセプタクルコネクタ２００の基本的な構成、第二実施形態に係るプラグコネクタ３００及びレセプタクルコネクタ４００の基本的な構成、及び第三実施形態に係るプラグコネクタ５００及びレセプタクルコネクタ６００の基本的な構成と同様である。
【００９３】
プラグコネクタ７００は、複数のプラグ端子１３０と、複数のプラグ端子１３０を保持するプラグハウジング７１０と、プラグハウジング７１０に保持されるプラグシェル７２０とを備える。プラグハウジング７１０の基本的な構成は、例えば、第一実施形態に係るプラグハウジング１１０と同じである。
【００９４】
図９及び図１０を参照すると、プラグコネクタ７００は、長方形状のプラグハウジング７１０の中央部分に、長手方向（Ｘ軸方向）に延在する凹状の嵌合凹部７１２（図１０参照）を備え、嵌合凹部７１２の短手方向（Ｙ軸方向）の両側（Ｙ１及びＹ２側）には、複数のプラグ端子１３０をそれぞれ保持する第１側壁７１４を備える。第１側壁７１４は、プラグコネクタ７００の長手方向（Ｘ軸方向）に沿って２列設けられ、嵌合凹部７１２は、それら２列の第１側壁７１４の間に形成されている。
【００９５】
プラグコネクタ７００のプラグハウジング７１０は、等しい間隔で長手方向（Ｘ軸方向）に２列に配列した同じ形状の複数のプラグ端子１３０と共にインサート成型（一体成型）されて、複数のプラグ端子１３０を保持することができる。外部導体であるプラグシェル７２０は、プラグハウジング７１０の長手方向（Ｘ軸方向）に沿って延在する板状の第１プラグシールド７２１と、プラグハウジング７１０の短手方向（Ｙ軸方向）の第２側壁７１６に沿って延在するシールド接続部７２５とを有する。プラグシェル７２０は、第１プラグシールド７２１を両側（Ｙ１側とＹ２側）に１枚ずつ備える。第１プラグシールド７２１の縁部分には、基板に実装される（半田付される）第１プラグ実装部７２７を１以上設けることができる。
【００９６】
また、プラグシェル７２０は、第１プラグシールド７２１の他に、第２プラグシールド７２２を含み、プラグハウジング７１０の短手方向（Ｙ軸方向）に沿って延在する板状の第２プラグシールド７２２を両側（Ｘ１側とＸ２側）に２枚ずつ備える。第２プラグシールド７２２の縁部分には、基板に実装される（半田付される）第１プラグ実装部７２８を１以上設けることができる。
【００９７】
プラグシェル７２０は、プラグハウジング７１０の長手方向（Ｘ軸方向）に沿って延在する第１プラグシェル平面７２３を両側（Ｙ１側とＹ２側）に１枚ずつ備える。また、プラグシェル７２０は、プラグハウジング７１０の短手方向（Ｙ軸方向）に沿って延在する第２プラグシェル平面７２４を両側（Ｘ１側とＸ２側）に１枚ずつ備える。
【００９８】
プラグシェル７２０は、第２プラグシェル平面７２４の各々の中央部分から嵌合凹部７１２に向けて延出した部分にシールド接続部１２５及びプラグハウジング支持部１２６を含む。シールド接続部７２５は、プラグハウジング７１０の短手方向（Ｙ軸方向）に延在する第２側壁７１６とプラグシェル７２０との間、具体的には、プラグハウジング７１０の第２側壁７１６を把持してプラグシェル１２０の内側に固定するプラグハウジング支持部７２６と第２プラグシェル平面７２４との間に位置する。
【００９９】
プラグハウジング支持部７２６は、プラグハウジング７１０の長手方向（Ｘ軸方向）の両側（Ｘ１側とＸ２側）にある第２側壁７１６の各々に、第２側壁７１６に沿って短手方向（Ｙ軸方向）のに延在する。複数のプラグ端子１３０は、プラグハウジング７１０の長手方向（Ｘ軸方向）の２つの第１側壁７１４に各々設けられ、等間隔に配列される。嵌合凹部７１２は、プラグハウジング７１０の第１側壁７１４及び第２側壁７１６に四方を囲まれて形成されている。
【０１００】
図９及び図１１を参照すると、レセプタクルコネクタ８００は、複数のレセプタクル端子２３０と、複数のレセプタクル端子２３０を保持するレセプタクルハウジング８１０と、レセプタクルハウジング８１０に保持されるレセプタクルシェル８２０とを備える。レセプタクルハウジング８１０の基本的な構成は、例えば、第一実施形態に係るレセプタクルハウジング２１０と同じである。
【０１０１】
レセプタクルコネクタ８００は、長方形状のレセプタクルハウジング８１０の中央部分に、長手方向（Ｘ軸方向）に延在する凸状の嵌合凸部８１２を備え、嵌合凸部８１２の短手方向（Ｙ軸方向）の両側（Ｙ１及びＹ２側）には、複数のレセプタクル端子２３０をそれぞれ保持する第１側壁８１４を備える。第１側壁８１４は、レセプタクルコネクタ８００の長手方向（Ｘ軸方向）に沿って２列設けられ、嵌合凸部８１２は、それら２列の第１側壁８１４の間に形成されている。嵌合凸部８１２と２列の第１側壁８１４との間には、プラグコネクタ７００の２列の第１側壁７１４と嵌り合う嵌合空間８１３が形成されている。嵌合空間８１３は、嵌合凸部８１２の四方を取り囲み、嵌合凸部８１２と第１側壁８１４及び第２側壁８１６との間の空間である。
【０１０２】
レセプタクルコネクタ８００のレセプタクルハウジング８１０は、等しい間隔で長手方向（Ｘ軸方向）に２列に配列した同じ形状の複数のレセプタクル端子２３０と共にインサート成型（一体成型）されて、複数のレセプタクル端子２３０を保持することができる。外部導体であるレセプタクルシェル８２０は、レセプタクルハウジング８１０の長手方向（Ｘ軸方向）に沿って延在する板状の第１レセプタクルシールド８２１と、レセプタクルハウジング８１０の短手方向（Ｙ軸方向）の第２側壁８１６に沿って延在するレセプタクル嵌合部８２５とを有する。レセプタクルシェル８２０は、第１レセプタクルシールド８２１を両側（Ｙ１側とＹ２側）に１枚ずつ備える。第１レセプタクルシールド８２１の縁部分には、基板に実装される（半田付される）レセプタクル実装部８２６を１以上設けることができる。
【０１０３】
また、レセプタクルシェル８２０は、第１レセプタクルシールド８２１の他に、第２レセプタクルシールド８２２を含み、レセプタクルハウジング８１０の短手方向（Ｙ軸方向）に沿って延在する板状の第２レセプタクルシールド８２２を両側（Ｘ１側とＸ２側）に２枚ずつ備える。
【０１０４】
レセプタクルシェル８２０は、レセプタクルハウジング８１０の長手方向（Ｘ軸方向）に沿って延在する第１レセプタクルシェル平面８２３を両側（Ｙ１側とＹ２側）に１枚ずつ備える。また、レセプタクルシェル８２０は、レセプタクルハウジング８１０の短手方向（Ｙ軸方向）に沿って延在する第２レセプタクルシェル平面８２４を両側（Ｘ１側とＸ２側）に１枚ずつ備える。
【０１０５】
レセプタクルシェル８２０は、第１レセプタクルシェル平面８２３に、長手方向（Ｘ軸方向）に互いに対向する一対の接触片８２７を備える。一対の接触片８２７は、第１レセプタクルシェル平面８２３から延出して対向するように形成される。具体的には、１対の接触片８２７は、長手方向（Ｘ軸方向）に沿って形成され、一方の側（例えば、Ｘ１側）の接触片８２７は他方の側（例えば、Ｘ２側）に延出し、当該一方の側の接触片８２７に対向する他方の側（例えば、Ｘ２側）の接触片８２７は一方の側（例えば、Ｘ１側）に延出する。
【０１０６】
一対の接触片８２７は、第１レセプタクルシェル平面８２３から、嵌合方向（Ｚ軸方向）の相手コネクタ側（Ｚ２側）に曲げて形成されている。第四実施形態に係るレセプタクルシェル８２０は、２枚の第１レセプタクルシェル平面８２３の各々に一対の接触片８２７を箇所ずつ設けているが、これに限定されるものではなく、例えば、相手コネクタの外部導体シェルのシェル平面（プラグコネクタのプラグシェルのプラグシェル平面）の大きさ、相手コネクタの長手方向（Ｘ軸方向）の幅等に応じて、接触片８２７を適宜増減させることができる。
【０１０７】
図１２に示すように、プラグコネクタ７００とレセプタクルコネクタ８００とが嵌合した状態において、第１レセプタクルシェル平面８２３の各々に２箇所ずつ設けられた一対の接触片８２７の先端部分の各々が、相手コネクタであるプラグコネクタ７００の第１プラグシェル平面７２３に接触する接点８２８となる。
【０１０８】
第一実施形態（図１から図４）の変形例である第二乃至第四実施形態（図５から図１２）に係るコネクタ装置及びコネクタは、第一実施形態と同様に、コネクタ同士の嵌合時に、プラグコネクタのプラグ端子の電磁遮蔽を行うプラグシールドと、レセプタクルコネクタのレセプタクル端子の電磁遮蔽を行うレセプタクルシールドとが、シールド接続部及びレセプタクルハウジング支持部によって、各コネクタの短手方向（Ｙ軸方向）で互いに接触して電気的に接続されるだけでなく、レセプタクルシールドに設けられたシールド突出部、又はレセプタクルシェル平面に設けられた接触片によって、各コネクタの長手方向（Ｘ軸方向）で複数の接点で接触して電気的に接続されることで、第一実施形態に係るコネクタ装置よりもより、シールド間の電位差を実質的になくし、十分な電磁遮蔽作用を得ることができる。
【０１０９】
また、第一実施形態と同様に、第二乃至第四実施形態に係るコネクタ装置及びコネクタも、短手方向（Ｙ軸方向）にプラグシールドとレセプタクルシールドを重ねることがないから、コネクタの小型化を阻害するシールドの内外二重構造を回避することができ、基板におけるコネクタの占有面積をより小さくして、高密度実装化に寄与することができる。本発明の個々の実施形態は、独立したものではなく、それぞれ組み合わせて適宜実施することができる。
【産業上の利用可能性】
【０１１０】
本発明に係るコネクタは、電気信号の高速伝送を行うスマートフォン、携帯電話等の電子機器において、基板間をフラットケーブルで接続する等の用途に利用することができる。
【符号の説明】
【０１１１】
１０  プラグ側基板
２０  レセプタクル側基板
１００  プラグコネクタ
１１０  プラグハウジング
１１２  嵌合凹部
１１４  第１側壁
１１５  第１間隔
１１６  第２側壁
１１７  第２間隔
１２０  プラグシェル
１２１  第１プラグシールド
１２２  第２プラグシールド
１２３  第１プラグシェル平面
１２４  第２プラグシェル平面
１２５  シールド接続部
１２６  プラグハウジング支持部
１３０  プラグ端子
１３１  実装端部
１３２  実装部
１３３  内側固定部
１３４  頂部
１３５  外側固定部
１３６  接触部
１３７  埋没部
２００  レセプタクルコネクタ
２１０  レセプタクルハウジング
２１２  嵌合凸部
２１３  嵌合空間
２１４  第１側壁
２１５  第１間隔
２１６  第２側壁
２１７  第２間隔
２２０  レセプタクルシェル
２２１  第１レセプタクルシールド
２２２  第２レセプタクルシールド
２２３  第１レセプタクルシェル平面
２２４  第２レセプタクルシェル平面
２２５  レセプタクルハウジング支持部
２３０  レセプタクル端子
２３１  実装端部
２３２  実装部
２３３  脚部
２３４  頂部
２３５  固定部
２３６  底部
２３７  可動部
２３８  接触部
２３９  可動端部
３００  プラグコネクタ
３１０  プラグハウジング
３１４  第１側壁
３１６  第２側壁
３２０  プラグシェル
３２１  第１プラグシールド
３２２  第２プラグシールド
３２３  第１プラグシェル平面
３２４  第２プラグシェル平面
３２５  シールド接続部
３２６  プラグシールドシールド切欠部
３２８  接点
４００  レセプタクルコネクタ
４１０  レセプタクルハウジング
４１２  嵌合凸部
４１４  第１側壁
４１６  第２側壁
４２０  レセプタクルシェル
４２１  第１レセプタクルシールド
４２２  第２レセプタクルシールド
４２４  レセプタクルハウジング支持部
４２６  レセプタクルシールド突出部
４２８  接点
５００  プラグコネクタ
５１０  プラグハウジング
５１４  第１側壁
５１６  第２側壁
５２０  プラグシェル
５２１  第１プラグシールド
５２２  第２プラグシールド
５２３  第１プラグシェル平面
５２４  第２プラグシェル平面
５２５  シールド接続部
５２６  屈曲部
５２７  可動腕部
５２８  可動端部
５２９  接点
６００  レセプタクルコネクタ
６１０  レセプタクルハウジング
６１２  嵌合凸部
６１４  第１側壁
６１６  第２側壁
６２０  レセプタクルシェル
６２１  第１レセプタクルシールド
６２２  第２レセプタクルシールド
６２４  レセプタクルハウジング支持部
６２６  レセプタクルシールド突出部
６２８  接点
７００  プラグコネクタ
７１０  プラグハウジング
７１２  嵌合凹部
７１４  第１側壁
７１６  第２側壁
７２０  プラグシェル
７２１  第１プラグシールド
７２２  第２プラグシールド
７２３  第１プラグシェル平面
７２４  第２プラグシェル平面
７２５  シールド接続部
７２６  プラグハウジング支持部
７２７  第１プラグ実装部
７２８  第２プラグ実装部
８００  レセプタクルコネクタ
８１０  レセプタクルハウジング
８１２  嵌合凸部
８１３  嵌合空間
８１４  第１側壁
８１６  第２側壁
８２０  レセプタクルシェル
８２１  第１レセプタクルシールド
８２２  第２レセプタクルシールド
８２３  第１レセプタクルシェル平面
８２４  第２レセプタクルシェル平面
８２５  レセプタクルハウジング支持部
８２６  レセプタクル実装部
８２７  ばね片
８２８  接点
【図１】
2020109730.tif 000003
【図２】
2020109730.tif 000004
【図３】
2020109730.tif 000005
【図４】
2020109730.tif 000006
【図５】
2020109730.tif 000007
【図６】
2020109730.tif 000008
【図７】
2020109730.tif 000009
【図８】
2020109730.tif 000010
【図９】
2020109730.tif 000011
【図１０】
2020109730.tif 000012
【図１１】
2020109730.tif 000013
【図１２】
2020109730.tif 000014